(57)【要約】【課題】  本考案の目的は、缶入り乃至ビン入り飲料の置き場所に収納できる小型除菌消臭器を開発することである。【解決手段】  直径６０〜８０ミリメートル、高さ１００〜２００ミリメートルの円筒乃至ビン型容器の内部に、少なくとも一つの紫外線源と、光触媒フィルターと、モーターファンと、出入口を備えたことを特徴とする小型除菌消臭装置であり、好ましくは、空気の入口を円筒型乃至ビン型容器の側面とし、空気の出口は側面乃至上部とする。光触媒フィルタは、円筒の底面と平行に設け、紫外線源は、円筒の底面と平行に設けるとともに、紫外線源の上下に光触媒フィルタ層を配置する。そして、電源としてシガライターソケットまたは電源としてAC１００V用アダプタ、電池を用いる。【選択図】  図１
0003101661.tif 000002
【実用新案登録請求の範囲】
【請求項１】
円筒型乃至ビン型容器の内部に、少なくとも一つの紫外線源と、光触媒フィルタと、モーターファンと、出入口を備えたことを特徴とする小型除菌消臭装置。
【請求項２】
請求項１において、円筒型乃至ビン型容器として、直径６０〜８０ミリメートル、高さ１００〜２００ミリメートルであることを特徴とする小型除菌消臭装置。
【請求項３】
請求項１、２において、空気の入口を円筒型乃至ビン型容器の側面とすることを特徴とする除菌消臭装置。
【請求項４】
請求項１、２において、空気の出口を円筒型乃至ビン型容器の上面とすることを特徴とする除菌消臭装置。
【請求項５】
請求項１、２において、空気の出口を円筒型乃至ビン型容器の側面とすることを特徴とする除菌消臭装置。
【請求項６】
請求項１、２において光触媒フィルタは、円筒乃至ビンの底面と平行に設けることを特徴とする除菌消臭装置。
【請求項７】
請求項１、２において、紫外線源は、円筒乃至ビンの底面と平行に設けるとともに、紫外線源の上下に光触媒フィルタ層を配置することを特徴とすることを特徴とする除菌消臭装置。
【請求項８】
請求項１、２において、電源としてシガライターソケットであることを特徴とする除菌消臭装置。
【請求項９】
請求項１、２において、電源としてAC１００V用アダプタであることを特徴とする除菌消臭装置。
【請求項１０】
請求項１、２において、電源として電池であることを特徴とする除菌消臭装置。
【請求項１１】
請求項１、２において、モーターファンは、空気の出口付近に設けることを特徴とする除菌消臭装置。
【請求項１２】
請求項１、２において、モーターファンは、空気の入口付近に設けることを特徴とする除菌消臭装置。
【考案の詳細な説明】
【技術分野】
【０００１】
本考案は、小型除菌消臭器に関し、さらに詳しくは、自動車用小型除菌消臭剤に関する。
【背景技術】
【０００２】
タクシーなどの自動車の内部の消臭方法として、タバコの臭いなど悪臭がこもった時、窓を開けるなどの方法がとられている。しかし、窓を開ける方法では、悪臭を減少することはできるが、完全な除去は困難であるし、外部から走行に伴う騒音が入ったり、冬季ないし梅雨時においては、冷気、湿気などが入る欠点がある。このため閉めた状態で臭い成分を分解したり除菌を行うことが好ましい。
【０００３】
近年、酸化チタン系光触媒が開発され、この酸化チタン系光触媒を自動車用除菌脱臭装置に応用しようとする試みがなされている。この場合、車内のスペースは限定されているためどのように配置するかが問題となる。例えば、自動車の後部座席の後ろに置く自動車の室内脱臭装置（特許文献１）や、自動車の前部のダッシュボードに嵌着する車載用空気浄化装置（特許文献２）が開示されている。しかし、なお、実用化には至っていないようである。この理由として、ダッシュボードには、種々の持ち物を置いたりするし、後部座席に置く場合は目障りであるなどの理由が考えられる。
【０００４】
【特許文献１】実用新案登録第３０３０２２７号公報。
【特許文献２】実用新案登録第３０８３５３０号公報。
【考案の開示】
【考案が解決しようとする課題】
【０００５】
本考案者は前記の現状から、運転席横に設けられている缶入り飲料の置き場所に着目した。この場所は、常時使用している場所でなく、比較的短い時間のみ本来の設計に従った使用がなされる場所である。この場所を他の目的に使用しても、缶入り飲料やビン入り飲料を置く必要が生じたときはしばらくの間、脇に置くことが可能であれば何ら支障はない。
また缶乃至ビンの寸法の除菌消臭器は、車内のみならず、室内、冷蔵庫内などの除菌消臭にも有効であると期待できる。
【０００６】
本考案の目的は、缶入り乃至ビン入り飲料容器の寸法で、車内、室内、冷蔵庫内、洗面所などでの除菌消臭や、冷蔵庫内での鮮度保持に有効な小型除菌消臭器を開発することである。
【課題を解決するための手段】
【０００７】
即ち本考案は
（１）  円筒型乃至ビン型容器の内部に、少なくとも一つの紫外線源と、光触媒フィルタと、モーターファンと、出入口を備えたことを特徴とする小型除菌消臭装置、
（２）  （１）において、円筒型乃至ビン型容器として、直径６０〜８０ミリメートル、高さ１００〜２００ミリメートルであることを特徴とする、
（３）  （１）、（２）において、空気の入口を円筒型乃至ビン型容器の側面とすることを特徴とする、
（４）  （１）、（２）において、空気の出口を円筒型乃至ビン型容器の上面とすることを特徴とする、
（５）  （１）、（２）において、空気の出口を円筒型乃至ビン型容器の側面とすることを特徴とする、
（６）  （１）、（２）において光触媒フィルタは、円筒乃至ビンの底面と平行に設けることを特徴とする、
（７）  （１）、（２）において、紫外線源は、円筒乃至ビンの底面と平行に設けるとともに、紫外線源の上下に光触媒フィルタ層を配置することを特徴とすることを特徴とする、
（８）  （１）、（２）において、電源としてシガライターソケットであることを特徴とする、
（９）  （１）、（２）において、電源としてAC１００V用アダプタであることを特徴とする、
（１０）（１）、（２）において、電源として電池であることを特徴とする、
（１１）（１）、（２）において、モーターファンは、空気の出口付近に設けることを特徴とする、
（１２）（１）、（２）において、モーターファンは、空気の入口付近に設けることを特徴とする。
【０００８】
本考案において、直径６０〜８０ミリメートル、高さ１００〜２００ミリメートルの円筒型容器を使用する理由は、缶入りコーヒー、缶入りココア、缶入り紅茶、缶入り緑茶などに使用される缶の大きさはこの範囲に限定され、缶を置くスペースを利用する本考案において、好都合であるからである。また別の方法として、本考案において、直径６０〜８０ミリメートル、高さ１００〜２００ミリメートルのビン型容器を使用する理由は、ビン入り清涼飲料水、ビン入り緑茶、ビン入りジュースなど広く普及しているからである。
【０００９】
本考案において、空気の入口を円筒型乃至ビン型容器の側面にする理由は、小型除菌消臭器を底面を下にして置かれ、底面からは、空気の出入りに好ましくないからである。空気の出口は上部乃至側面が好ましい。
光触媒を担持したフィルタは、円筒乃至ビンの底面と平行に設けることが好ましい。空気は、下部側面から入り、缶乃至ビンの上部乃至缶の上部側面から出る。この場合、空気は缶乃至ビンの下から上に流れることになり流れに直角に光触媒を担持したフィルタを設けることが好ましいからである。
【００１０】
本考案で用いる光触媒としては、酸化チタンで代表される光触媒が使用される。光触媒は好ましくはセラミックスなどで覆われ、ポリエステル繊維などの有機繊維やガラス繊維などからなる不織布の表面に析出している。このような光触媒を有する不織布は、好ましくは２枚の金網やプラスチックネットなどで挟み担持されている。この場合、不織布は多孔質である必要がある。空気が光触媒を有する不織布層を流れる必要があるからである。
【００１１】
光触媒を活性化させたり、機能を回復させるため、近紫外線を使用した紫外線源が使用される。酸化チタンは３００〜４００ｎｍの近紫外線を照射することにより、非常に高活性となるからである。紫外線源は２個の光触媒を担持したフィルタの中間に設けることが好ましい。紫外線源は上下両方を照射できるからである。
【００１２】
本考案において、小型除菌消臭器の中で、空気の流れを良好とするため、ファンを設けることが好ましい。ファンの設置場所としては、小型除菌消臭器の空気の出口乃至入り口付近が好ましい。
【００１３】
ファンのための電源としては、シガライターソケットを利用することが好ましい。使用頻度が少なく、自動車本来の性能に対して影響を及ぼすことが少ないからである。
なお、台所や洗面所など一般家庭での使用に際してはＡＣ１００Ｖ電源も使用することができる。また冷蔵庫内では、電池を使用する方式が好ましい。
【考案を実施するための最良の形態】
【００１４】
図１は、本考案の小型除菌消臭器の側面の一部を取り外したときの斜視図である。円柱状の紫外線源１の上下に光触媒フィルタａ２、光触媒フィルタｂ３を配している。光触媒フィルタｂ３の上部にファン４を設け、さらにファンの上の側面に空気出口５を設けている。光触媒フィルタａ２の下の側面に空気入口６が設けられている。
直流電源７は、光触媒フィルタａ２の下の下側側面に設けられ、交流用電源８は底面に設けられている。なお、図１の小型除菌消臭器の取り外された側面の一部は、金属乃至プラスチック蓋９で覆って製品とする。
【００１５】
図２は、ポリエステル樹脂を用いた小型除菌消臭器の斜視図である。なお、自動車内や室内で使用する場合は、有害な紫外線が漏れ出すことを防止するため、顔料などを使用して着色しておくことが好ましい。なお、図２の小型除菌消臭器の取り外された側面の一部は、プラスチック蓋（図示せず）で覆って製品とする。
【００１６】
本考案の性能を試験するため、図１に示した小型除菌消臭器を用い、アンモニア、酢酸、アセトアルデヒド、メチルメルカプタンの消臭試験を行った。
試験方法
（社）繊維評価技術協議会  消臭加工繊維製品認証基準準用
機器分析実施マニュアル（検知管法）
試験条件
紫外線強度  １ｍＷ／平方ｃｍ
試験結果
【表１】
0003101661.tif 000003
（備考）    初期濃度
アンモニア            １００ｐｐｍ
酢酸                    ５０ｐｐｍ
アセトアルデヒド        １４ｐｐｍ
メチルメルカプタン        ８ｐｐｍ
【００１７】
本考案による小型除菌消臭器は、自動車内の除菌消臭のみならず、冷蔵庫や台所、室内、洗面所などにおける除菌消臭や冷蔵庫内での鮮度保持にも利用できる。
【００１８】
本考案による小型除菌消臭器は以下のような特徴がある。
（１）  小型簡便な装置でかつ経済的な方法で除菌消臭が可能である。
（２）  除菌消臭が不要になったときは、脇に取り除くことが可能であり、狭く限られた空間を効率的に使用可能となる。
（３）  各種臭い成分を除去可能であり、除菌にも有効であり衛生的にも有効である。
（４）  装置として簡単であり故障が少ない。
（５）  価格も安価であり、故障をしたら取り替えが容易である。
（６）  使い捨てが可能である。
（７）  気体が光触媒と接触し分解する方式であり、限られた部分で除菌消臭などが行われている。このため、マイナスイオン発生器などと異なって、冷蔵庫内など系全体に影響を与えることは少ない。
（８）  冷蔵庫内でエチレンガスの分解が期待され、野菜の鮮度保持に有効であることが期待される。
【図面の簡単な説明】
【００１９】
【図１】缶を用いた小型除菌消臭器を示し、側面覆いの一部を取り外したときの斜視図である。
【図２】びんを用いた小型除菌消臭器を示し、側面覆いの一部を取り外したときの斜視図である。
【符号の説明】
【００２０】
１  紫外線源
２  光触媒フィルタａ
３  光触媒フィルタｂ
４  ファン
５  空気出口
６  空気入口
７  直流電源入口
８  交流電源入口
９  容器外壁
【図１】
0003101661.tif 000004
【図２】
0003101661.tif 000005